(57)【要約】【課題】  従来の石材製の墓に代わる金属製の新規な簡易型の墓を提供することにある。【解決手段】  金属製簡易型墓石１０は、中空箱形のステンレス製の墓本体１１からなっており、その墓本体１１は平面後端部１４から平面中央やや平面前端部１３寄りにへ字形に傾斜する傾斜面１６，１９を有している。平面前端部１３側の前方傾斜面１６には、開口部１７が形成され、開口部１７を閉塞するように防水シート２３を貼り付け、その上にプレート状の銘板２０が取付固定されている。そして、この銘板２０を外して、開口部１７より骨壺６５の出し入れを行う。その骨壺６５は、カロート６０内に収納される。【選択図】  図１
2005264655.tif 000002
【特許請求の範囲】
【請求項１】
屋外においても錆びにくい金属板を素材とした墓にあって、現地にて簡易に施工できるように前記金属板を用いて中空箱形の墓本体を形成するとともに、骨壺の出し入れ可能な広さの開口部を前記墓本体に有し、前記墓本体が密閉保存室となるよう前記開口部にプレート状の銘板を締付治具にて固定させたことを特徴とする金属製簡易型墓。
【請求項２】
墓本体が十分な気密性を保持する密閉保存室となるように、開口部を防水シートで密閉した後に銘板を固定し、開口部を閉塞させたことを特徴とする請求項１記載の金属製簡易型墓。
【請求項３】
墓本体に用いられる締付治具は、銘板の固定に用いられるもの以外全て墓本体の表面に露出させずに墓本体内部にあって締め付け固定していることを特徴とする請求項１又は２に記載の金属製簡易型墓。
【請求項４】
銘板を開口部に固定するための締付治具は、その一部を墓本体の表面に露出させ、その露出部分をキャップ状の封止材で被覆させたことを特徴とする請求項１から３のいずれかに記載の金属製簡易型墓。
【請求項５】
銘板又は／及び墓誌プレートも屋外においても錆びにくい金属板で形成され、エッチング又はレーザー光線などの表面加工技術によって、前記銘板又は／及び墓誌に表示情報を記載させたことを特徴とする請求項１から４のいずれかに記載の金属製簡易型墓。
【請求項６】
銘板又は／及び墓誌プレートをカラーステンレス鋼板，カラーアルミニウム板又はカラーチタン板で形成されたことを特徴とする請求項１から５のいずれかに記載の金属製簡易型墓。
【発明の詳細な説明】
【技術分野】
【０００１】
本発明は、従来の石材製の墓に代わる金属製の新規な簡易型の墓に関するものである。
【背景技術】
【０００２】
従来「墓」といえば石材製のものがほとんどであった。しかし、核家族化の進行、未婚者の増加等によって、コンパクトな墓やリーズナブルな墓といったような簡易型の墓が求められている。
そこで考えられるのは、石材製に代わる材質を使用した墓であり、特許文献１に「金属製墓石」が開示されている。
【特許文献１】実開平０５−３５２４号公報
【発明の開示】
【発明が解決しようとする課題】
【０００３】
しかし、特許文献１の墓石は、屋内に設置して用いられるアルミニウム鋳物製の墓石であって、霊園墓地や公園墓地などで一般の石材製墓石と同様に屋外へ設置される墓石ではない。
そこで、本発明は、主に屋外で使用できる、従来の石材製墓石に代わる金属製の新規な簡易型の墓を提供することを目的とする。
【課題を解決するための手段】
【０００４】
上記目的を達成するために、第一の発明は、屋外においても錆びにくい金属板を素材とした墓であって、現地にて簡易に施工できるように前記金属板を用いて中空箱形の墓本体を形成するとともに、骨壺の出し入れ可能な広さの開口部を前記墓本体に有し、前記墓本体が密閉保存室となるよう前記開口部にプレート状の銘板を締付治具にて固定させたことを特徴とする金属製簡易型墓である。
ここで、「屋外においても錆びにくい金属板」とは、例えば、ステンレス，アルミニウム，ニッケル，チタンなどである。また、「銘板」とは、墓の所有者を表すものである。
【０００５】
第二の発明は、墓本体が十分な気密性を保持する密閉保存室となるように、開口部を防水シートで密閉した後に銘板を固定し、開口部を閉塞させたことを特徴とするものである。
【０００６】
また、第三の発明は、墓本体に用いられる締付治具は、銘板の固定に用いられるもの以外全て墓本体の表面に露出させずに墓本体内部にあって締め付け固定していることを特徴とするものである。
ここで、墓本体に用いられる締付治具とは、墓本体を基礎となる石材に設置するための締付治具や，取付部材（銘板、墓誌プレートなど）を墓本体に固定するための締付治具のことである。
第四の発明は、銘板を開口部に固定するための締付治具は、その一部を墓本体の表面に露出させ、その露出部分をキャップ状の封止材で被覆させたことを特徴とするものである。
【０００７】
第五の発明は、銘板又は／及び墓誌プレートも屋外においても錆びにくい金属板で形成され、エッチング又はレーザー光線などの表面加工技術によって、前記銘板又は／及び墓誌に表示情報を記載させたことを特徴とし、第六の発明は、銘板又は／及び墓誌プレートをカラーステンレス鋼板，カラーアルミニウム板又はカラーチタン板で形成されたことを特徴とするものである。
ここで、「墓誌」とは、当該墓に納骨されている故人の情報を表したものである。
【発明の効果】
【０００８】
本発明によれば、次のような効果を有する。
（１）大量に量産可能で、コンパクトな墓を提供できる。
（２）従来の石材製の墓と比べて軽量であるため、墓地への設置など施工性がよい。
（３）従来の石材製の墓と比べ加工性がよいため、製作効率が向上する。
（４）従来の石材製の墓と比べて損壊しにくく、耐久性がよい。
（５）不要となった墓を回収して再利用できるなど、リサイクル性もよい。
【０００９】
また、次のような効果も有する。
（６）墓本体の開口部を防水シートで密閉したことで、墓本体内部を完全な機密状態にできる。
（７）墓本体に用いられる締付治具を墓本体の表面に露出させると、金属製墓であることが明白となり意匠性に欠けるが、締付治具を墓本体の表面に露出させないことで、石材製の墓と同様な外観の墓となり、意匠性が向上する。
（８）また、銘板を開口部に固定するための締付治具の一部は、墓本体の表面に露出させることになるが、その露出部分をキャップ状の封止材で被覆させることで、無断で締付治具を解いて銘板を取り外すことを防止できるとともに、封止材に装飾を施して墓の意匠性を向上させることができる。
【発明を実施するための最良の形態】
【００１０】
本発明の実施形態を図面に基づいて説明する。
図１は、本発明の実施形態を示す説明図である。
本発明に係る金属製簡易型墓１０は、中空箱形のステンレス製の墓本体１１からなっている。墓本体の形状は種々考えられるが、本実施形態においては、平面後端部１４から平面中央やや平面前端部１３寄りにへ字形に傾斜する傾斜面１６，１９を有している。
【００１１】
平面前端部１３側の前方傾斜面１６は、平面後端部１４側の後方傾斜面１９よりも傾斜がゆるやかで面積が広い。その前方傾斜面１６に、開口部１７が形成されている。そして、開口部１７を閉塞するように、プレート状の銘板２０が取り付けられている。この銘板２０によって、中空箱形の墓本体１１は骨壺の納骨可能な密閉保存室となる。なお、銘板２０にはエッチングやレーザー光線などの表面加工技術を用いて墓碑銘等を記載する。
【００１２】
また、平面前端部１３側には、花を供えるための花立て穴３０，３０を左右に一対備ええ、その間に香炉台４４を備えるとともに、墓本体１１の前面１２には、墓誌プレート２５が取り付けられている。
さらに、墓本体１１の底面はロ字形に縁取り部１５を備えながら、その他の部分は広く穿孔されている。この縁取り部１５には、墓本体１１をベースとなる石材５０に設置するためのアンカーボルト孔４０，４０，…を形成している。
【００１３】
石材５０は、墓本体１１を設置するためのベース材である。骨壺を収納するために地面に埋め込まれた円筒状のカロート６０上に載置され、墓本体１１を取り付けるためのアンカーボルト６２，６２，…を備えている。また、石材５０は、カロート６０に骨壺を出し入れ可能とするために、その中心部分に貫通穴５２を形成している。その貫通穴５２の周縁にはＬ字形アングルを堰材４５として設け、カロート６０への浸水を防止する。
【００１４】
図２は、本発明の使用状態を示す説明図である。
石材５０に墓本体１１を設置した金属製簡易型墓１０は、前方傾斜面１６に形成された開口部１７より骨壺６５の出し入れを行う。詳しくは、既に設置されている金属製簡易型墓１０に新たに骨壺６５を納骨する場合、まず銘板２０を取り外し、さらに開口部１７を密閉している防水シート２３を破り、開口部１７を露出させて骨壺６５を墓本体１１内へ入れる。その骨壺６５は、カロート６０内に収納される。収納されている骨壺６５を取り出す場合も、これと同様である。
【００１５】
骨壺６５の出し入れのために、わざわざ墓本体１１を石材５０から取り外す必要がなく、銘板２０を取り外し防水シート２３を破るだけで、極めて簡単に骨壺６５の出し入れを行える。なお、骨壺６５の出し入れ後に、再び墓本体１１を密閉保存室にするためには、防水シート２３を貼り直して開口部１７を密閉させる。従って、防水シート２３は、一回の骨壺６５の出し入れで使い捨てとする。
【００１６】
図３は、本発明の構造を示す説明図である。
墓本体１１には、上記したように、銘板２０、墓誌プレート２５、花立て穴３０，３０、香炉台４４を備える。銘板２０は、前方傾斜面１６に形成された開口部１７に取付固定されるが、墓本体１１の十分な気密性を保持するために、上記のように開口部１７全面に防水シート２３を貼り付け、開口部１７を密閉させる。また、墓誌プレート２５は、スタッドボルト２６，２６，…を備え、墓本体１１の前面１２に着脱自在に取り付けられる。これにより、墓誌の書き換え・取り替え等を簡単に行える。
【００１７】
花立て穴３０は、円状に切り抜かれた切抜孔４１に花立て穴用筒体３２を取り付けることで形成される。この場合も、銘板と同様に墓本体１１内への気密性を保持するために、切抜孔４１の周辺に防水シート３５を介在させて、花立て穴用筒体３２を取り付ける。また、花立て穴用筒体３２には水抜きノズル３３を設け、墓本体１１の側面１８に形成した水抜き孔４２から、花立て穴３０に溜まった水を抜くことができる。
【００１８】
ここで、墓誌プレート２５及び花立て穴用筒体３２といった取付部材は、いずれも締付治具を用いて墓本体１１内部から締め付けられ墓本体１１に取り付けられている。従って、締付治具は墓本体１１の表面に露出しない。このため、一見しては金属製の墓と判別できず、石材製の墓と同様な外観の墓となり、墓の意匠性が向上する。
また、銘板２０や墓誌プレート２５をカラーステンレス鋼板，カラーアルミニウム板又はカラーチタン板で形成することで、墓の意匠性が向上する。
【００１９】
図４及び図５は、銘板２０の取付構造を示す説明図である。
銘板２０は、開口部１７の四隅に締付治具を用いて取り付けられる。締付治具は、ナット２１１をボルト孔２４のある墓本体１１の裏面側に溶接するとともに、ボルトと銘板２０の間に座金を介在させるものである。そして、墓本体１１の表面に露出する取付治具の一部（ボルトと座金）をキャップ状の封止材で被覆する。
【００２０】
図４に示す円柱状の座金２７１は、側面に収縮自在な環状の凸部２７２を有している。一方、キャップ状の封止材２２１は、その内側に環状の凹部２２２を有している。そして、封止材２２１をボルト２１２と座金２７１に被覆させる時に、座金２７１の凸部２７２は一旦収縮するので、ボルト２１２と座金２７１は封止材２２１に完全に被覆される。封止材２２１の被覆後、座金２７１の凸部２７２は収縮状態を脱し、封止材２２１の凹部２２２に嵌合する。これによって、封止材２２１が外され、簡単にボルト２１２が露出することがなくなり、銘板２０の取り外れや骨壺の盗難を防止できる。
【００２１】
図５に示す円柱状の座金２７６は、側面にネジ山２７７を有している。一方、キャップ状の封止材２２６は、その内側にネジ溝２２７を有している。そして、封止材２２６をボルト２１６と座金２７１に被覆させる時には、この座金２７６のネジ山２７７と封止材２２６のネジ溝２２７を螺合させることで、ボルト２１６と座金２７６は封止材２２６に完全に被覆される。ただし、これでは、封止材２２６を取り外すことが可能となるので、ボルト２１６のボルト頭に形成するネジ山２１７を特殊な形状にして、これに対応した特殊なドライバーでないとボルト２１６を外すことができないようにする。これによって、銘板２０の取り外れや骨壺の盗難を防止できる。
【００２２】
なお、墓本体１１の表面に露出する取付治具の一部（ボルトと座金）をキャップ状の封止材で被覆することで、墓の意匠性が向上する。また、封止材の表面に家紋を入れたりしてもよく、これによっても、墓の意匠性が向上する。
【００２３】
図６は、本発明の取付状態を示す断面図である。
墓本体１１は、底面の縁取り部１５を石材５０と接している。万一、墓本体１１内に水漏れがあった場合に、この縁取り部１５から石材５０の貫通穴５２を通って、カロート６０内に水が浸入してしまう可能性がある。そこで、貫通穴５２の周縁に上記した堰材４５を設け、カロート６０への浸水を防止する。
【産業上の利用可能性】
【００２４】
本発明の簡易型墓石は、霊園墓地や公園墓地など比較的大規模な墓地で、大量に設置される簡易な墓石として、またその他の墓地に設置できる簡易な墓石として広く利用できる。
【図面の簡単な説明】
【００２５】
【図１】本発明の実施形態を示す説明図。
【図２】本発明の使用状態を示す説明図。
【図３】本発明の構造を示す説明図。
【図４】銘板の取付構造を示す説明図。
【図５】銘板の取付構造を示す説明図。
【図６】本発明の取付状態を示す断面図。
【符号の説明】
【００２６】
１０  簡易型墓石      １１  墓本体
１２  前面            １３  平面前端部
１４  平面後端部      １５  縁取り部
１６  前方傾斜面      １７  開口部
１８  側面            １９  後方傾斜面
２０  銘板            ２３  防水シート
２４  ボルト孔        ２５  墓誌プレート
２６  スタッドボルト  ２７  座金
３０  花立て穴        ３２  花立て穴用筒体
３３  水抜きノズル    ３５  防水シート
４０  アンカーボルト孔
４１  切抜孔          ４２  水抜き孔
４４  香炉台          ４５  堰材
５０  石材            ５２  貫通穴
６０  カロート        ６２  アンカーボルト
６５  骨壺
【図１】
2005264655.tif 000003
【図２】
2005264655.tif 000004
【図３】
2005264655.tif 000005
【図４】
2005264655.tif 000006
【図５】
2005264655.tif 000007
【図６】
2005264655.tif 000008